(57)【要約】      （修正有）【課題】少量のアルコール擦式手指消毒薬や医薬品を容易に配分し、漏れを防止し、かつファッション性があり、手首着用型の皮膚処置用ディスペンサを提供する。【解決手段】分配リザーバー６及びリストバンド１１を含む装置本体２と、スリット式ダイアフラムバルブ１とを有する。バルブ１は、バルブのトップボタン１５の中にバルブスリット３を有し、リザーバー６の内表面に向かってはめ込む下端フランジを有する。リストバンド１１は、四肢の周囲を囲み、その末端は開口部１９を通り、末端の隆起がリストバンド１１の穿孔１３にスナップフィットする。【選択図】図１
0003166886.tif 000002
【実用新案登録請求の範囲】
【請求項１】
ａ）内部および外表面を有するリザーバー壁を示すリザーバーによって取り囲まれる分配ボリュームと、
ｂ）中央部のスリットを示す、スリット式ダイアフラムバルブコンポーネントと、
ｃ）前記リザーバー壁にある伸縮自在に変形可能な開口部と、
ｄ）前記内部の実質的に対向する位置における前記リザーバー壁の伸長または延長を含む身体取り付け具と、を備え、
前記バルブコンポーネントは前記開口部に保持されて前記リザーバーと流体シールを形成し、それによって前記バルブコンポーネントスリットからのみの分配を可能にする局所適用の皮膚および医薬処置剤を分配するための装置。
【請求項２】
前記スリット式ダイアフラムバルブコンポーネントがさらに中央部のスリットを示すボタンを備え、前記ボタンが前記ボタンよりも小さい直径のリングの頂上にあり、前記リングが前記リングよりも大きい直径のフランジの頂上にあり、前記リザーバー壁にある前記開口部が前記バルブコンポーネントリングよりも小さい非変形の直径を示し、前記バルブコンポーネントが前記フランジおよび前記変形可能な開口部によって前記開口部中に保持され、前記フランジは前記リザーバー壁の前記内表面と隣接し、前記開口部が前記開口部と前記バルブコンポーネントとの間に流体シールをもたらすように伸縮自在に変形して前記バルブコンポーネントリングの直径を収容する、
請求項１に記載の局所適用の皮膚および医薬処置剤を分配するための装置。
【請求項３】
前記ボタンが外側に凸状の外表面を示す、請求項２に記載の局所適用の皮膚および医薬処置剤を分配するための装置。
【請求項４】
前記ボタンが平坦な外表面を示す、請求項２に記載の局所適用の皮膚および医薬処置剤を分配するための装置。
【請求項５】
前記リザーバーは柔軟性があり、前記スリット式ダイアフラムバルブコンポーネントから前記処置剤を分配するための手動の圧力を受けやすい、請求項２に記載の局所適用の皮膚および医薬処置剤を分配するための装置。
【請求項６】
前記身体取り付け具が、さらに端に小片を持つ穿孔処理したバンドを含み、前記バンドは前記小片を特定の前記穿孔の位置で受け入れて前記装置を手首に固定する、請求項２に記載の装置。
【請求項７】
前記リザーバーが、シリコーンゴム、ポリイソブチレンおよびフルオロポリマー被覆シリコーンゴムを含む群から選択される材料から製造される、請求項２に記載の局所適用の皮膚および医薬処置剤を分配するための装置。
【請求項８】
前記スリット式ダイアフラムバルブが、機械的性能を向上させるために、前記バルブの軸に対して放射状に先細りするバルブ厚さをもたらすように変化する内表面を示す、請求項２に記載の局所適用の皮膚および医薬処置剤を分配するための装置。
【請求項９】
前記リザーバー内部が内部壁によって２つのボリュームに区画され、前記バルブコンポーネントが第１の前記ボリュームと流体連通し、追加のバルブコンポーネントが第２の前記ボリュームと流体連通し、前記内部壁は前記ボリュームからの２つの異なった処置剤の独立した分配を容易にするのに十分な硬さである、請求項２に記載の局所適用の皮膚および医薬処置剤を分配するための装置。
【請求項１０】
ａ）内部を形成し、外表面を備えるリザーバー壁を示すリザーバーによって取り囲まれる分配ボリュームと、
ｂ）実質的に凸状の形態および実質的に平坦な形態を含む群から選択される表面形態を有するスリット式ダイアフラムバルブと、
ｃ）前記内部の実質的に対向する位置における前記リザーバー壁の伸長または延長を含む身体取り付け具と
を備える局所適用の皮膚および医薬処置剤を分配するための装置。
【請求項１１】
前記ダイアフラムバルブが、前記リザーバーの前記外表面に局所的凸状の表面またはニップルを備え、前記凸状の表面にはスリットが配置されており、前記局所的凸状の表面は、分配領域の視覚的指標、分配後の掃除およびふき取りが容易なことを誇る表面、分配位置の触覚フィードバック、漏れ防止のための十分な硬さを与える頂上部および前記スリットの配置などの二次製造業務の指標となる表面をもたらすのに役立つ、請求項１０に記載の局所適用の皮膚および医薬処置剤を分配するための装置。
【請求項１２】
前記リザーバーが、単一構造のリザーバー壁によって取り囲まれる内部ボリュームを示す、請求項１０に記載の局所適用の皮膚および医薬処置剤を分配するための装置。
【請求項１３】
前記リザーバーが再充填開口部を含む、請求項１０に記載の局所適用の皮膚および医薬処置剤を分配するための装置。
【請求項１４】
ａ）治療材料を封じ込めかつ分配するための分配リザーバーであって、前記分配リザーバーが前記リザーバーの上部および下部により形成される内部ボリュームを示し、前記下部が外表面を有する分配リザーバーと、
ｂ）フラップを有し、前記分配リザーバーの前記内部ボリュームと流体連通する内表面および実質的に平坦な形態および実質的に凸状の形態を含む群から選択される外部形態を示し、そこを通って前記治療材料が分配されるスリット式ダイアフラムバルブであって、前記スリット式ダイアフラムバルブの前記外表面が前記リザーバーの前記上部の前記外表面と隣接しているスリット式ダイアフラムバルブと、
ｃ）さらに前記内部ボリュームの実質的に対向する位置における前記リザーバーの前記下部の伸長または延長を含む可撓性があるリストバンドを含む身体取り付け具と
を備え、
前記リザーバーの可撓性のある部分の手動による変形が、前記リザーバーに含まれる前記処置材料に圧力を与え、それによって前記スリット式ダイアフラムバルブに圧力を与えて、前記ディスペンサが着用されている間に前記フラップを通して前記処置材料の分配を引き起こす、局所適用の皮膚および医薬処置剤を分配するための装置。
【請求項１５】
前記リザーバーの上部が前記リザーバーの下部に接着している、請求項１４に記載の局所適用の皮膚および医薬処置剤を分配するための装置。
【請求項１６】
前記バルブを被覆するための取り外し可能なキャップを含む、請求項１４に記載の局所適用の皮膚および医薬処置剤を分配するための装置。
【請求項１７】
ａ）内部および外表面を有するリザーバー壁と前記リザーバーの周囲にあるリストバンド取り付け手段を示す内蔵型分配リザーバーと、
ｂ）中央部のスリットを示すスリット式ダイアフラムバルブコンポーネントと、
ｃ）前記リザーバー壁にある開口部と、
ｄ）前記リザーバーの前記リストバンド取り付け手段に取り付け可能なリストバンドと、
を備え、
前記バルブコンポーネントが前記開口部の中にスナップフィットして、前記リザーバーと流体シールを形成し、それによって前記バルブコンポーネントスリットからのみの分配を可能にする、局所適用の皮膚および医薬処置剤を分配するための装置。
【請求項１８】
前記リストバンド取り付け手段が、そこを通して前記リストバンドを固定するのを可能にするスロットを備える、請求項１７に記載の局所適用の皮膚および医薬処置剤を分配するための装置。
【請求項１９】
前記リザーバーおよび前記リストバンドがくっつくことができるように、前記リザーバーのリストバンド取り付け手段が第一ジェンダーのスナップコンポーネントを備え、前記リストバンドが無料のジェンダースナップコンポーネントを示す、請求項１７に記載の局所適用の皮膚および医薬処置剤を分配するための装置。
【請求項２０】
前記リザーバーのリストバンド取り付け手段が穴を備え、前記リストバンドが前記リザーバーの対応する前記穴の中に挿入するピンを備える腕輪を含む、請求項１７に記載の局所適用の皮膚および医薬処置剤を分配するための装置。
【請求項２１】
ａ）開口部を示し、周辺を取り巻く溝を有する周囲によって特徴づけられる、内蔵型分配リザーバーと、
ｂ）スリット式ダイアフラムバルブおよび弾性のリングに囲まれる中央開口部を含むリストバンドコンポーネントと、
を備え、
前記リングは引き伸ばされて前記リザーバーの前記溝に固定され、前記リザーバーが前記バルブに貼り付けられ、前記開口部が前記バルブと隣接して、前記バルブを通した前記リザーバーの内容物の分配を可能にする、局所適用の皮膚および医薬処置剤を分配するための装置。
【請求項２２】
ａ）リザーバーによって取り囲まれる分配ボリュームと、
ｂ）身体取り付け手段と、
ｃ）さらに、
i）前記リザーバーの中に配置される垂直配向圧力表面、
ii）前記分配ボリュームから離れ、前記圧力表面に隣接して前記リザーバーに配置されるくぼみ手段、
iii）前記分配ボリュームから離れて前記リザーバーに配置される、前記くぼみ手段に隣接した浅い凸状の表面、
iv）前記くぼみ手段に対向し、前記浅い凸状の表面に配置される分配開口部、およびv）前記くぼみ手段の両側にある、前記身体取り付け手段に配置される梁、
をさらに含む変形可能なバルブ手段と、
を備え、
前記開口部から離れた前記圧力表面に加えられる水平方向の力がない場合には、前記くぼみ手段が前記梁と協力して前記分配ボリュームと前記開口部との間の流体連通を封鎖し、そうでない場合にはこのような流体連通を可能にする、局所適用の皮膚および医薬処置剤を分配するための装置
【請求項２３】
ａ）リザーバーによって取り囲まれる分配ボリュームと、
ｂ）スリット式ダイアフラムバルブと、
ｃ）身体取り付け手段と、
ｄ）さらに、
i）流体容器、
ii）前記流体を前記リザーバーの中に導入するための、前記流体容器に取り付け可能な先細りノズル、および
iii）前記流体の導入の際に、前記リザーバーから空気を逃がすための前記先細りノズルに隣接した空気逃がしチャネル、備えた流体再充填手段と、
を備える局所適用の皮膚および医薬処置剤を分配するためのシステム。
【考案の詳細な説明】
【技術分野】
【０００１】
本発明は、身体着用型皮膚処置用ディスペンサに関する。本発明は特に、柔軟性のあるリザーバーから処置剤を分配するためのスリット式ダイアフラムバルブを示す四肢着用型ディスペンサに関する。
【背景技術】
【０００２】
現代の抗生物質に対して細菌の免疫力が高まっていることが問題となっており、主な感染媒体の１つはヒトの手である。したがって、手を消毒するために洗面所の近くにいない場合、このような衛生を達成するための手段をもっていることが有効であろう。また、日常の動作中に、消毒用のゲルまたはその他手を処置するためのハンドローションのボトルのキャップをはずすのは不便であろう。
【０００３】
幸い、エチルアルコールがグラム陰性の病原体に対して最も有効な消毒薬であることが立証された。エチルアルコールは、粘度が低く、携帯用容器から容易に分配され、そして蒸発が速いために拭き取り生地や布の使用を必要としない。さらに、この消毒薬ほんの数滴で、手を衛生的にするのに十分な用量である。擦れるのを防ぐために、分配プロセスに害をおよぼすような粘度増加がない程度に、アルコールにグリセリンを加えることができる。
【０００４】
消毒薬またはローションの携帯用ディスペンサについての種々の方法が従来技術で開示されてきた。これには、身体装着型ディスペンサ、ブレスレット型ディスペンサなどが含まれる。特許文献１には、手の上に液体を滴下する分配管が開示されている。特許文献２には、経管型フィンガーディスペンサが開示されている。ポケットベルに似たような形の身体着用型ディスペンサは特許文献３に開示されている。
【０００５】
今まで示されてこなかったのは、作動を容易にする手首着用型で、漏れ防止性で、かつファッションアピールする、低コストのディスペンサである。
【先行技術文献】
【特許文献】
【０００６】
【特許文献１】米国特許第６３７１９４６号
【特許文献１】米国特許第６０５３８９８号
【特許文献１】米国特許第５９２７５４８号
【考案の概要】
【課題を解決するための手段】
【０００７】
本発明は、少量のアルコール擦式手指消毒薬、保湿剤、他の皮膚用薬剤または皮膚疾患もしくは全身性疾患（後者は、処置材料の皮膚吸収によって治療される）を治療するために用いられる医薬品を分配するための手首着用型装置を開示している。
【０００８】
本発明の好ましい実施形態では、装置は、ヒトの心臓の三尖弁によく似た、装置を作動させたときに少量の医薬または衛生処置剤を分配するスリット式ダイアフラムバルブを備える低背型の手首装着型ディスペンサの形をしている。以下の主要な特徴を示す本発明の他の種々の実施形態を開示する。その特徴とは、挿入されたバルブコンポーネントを備えるユニボディのリザーバー／リストバンド、リザーバー壁中に形成されるバルブを備えるユニボディのリザーバー／リストバンド、複合リザーバー装置、リザーバーハウジングおよびリストバンド基部、リストバンドに貼り付く内蔵型リザーバー、およびリストバンドに取り外し可能に取り付く内蔵型リザーバーである。この後者の実施形態は、充填済み使い捨てリザーバーの使用または異なった形状もしくは美的外観を有するリザーバーの選択を可能にする。装置の再充填のために、市販されている手指消毒薬のボトルに合う単純なキャップ付属品を開示する。
【０００９】
構造を単純にしつつも、装置からの皮膚処置材料の意図しない分配および漏れを避けるため、スリット式ダイアフラムバルブは漏れを防ぐのに十分な硬さの材料から構成することができる。あるいは、この目標を達成するために、構成材料の特徴を用いて材料を選択することができる。さらに、種々の実施形態には、任意の漏れを軽減するためのキャップが含まれる。
【００１０】
アルコール消毒薬ほんの数滴で、手を衛生的にするのに十分な用量であるため、装置は再充填または廃棄が必要となる前に、数百の用量の消毒薬を分配することができる。
【００１１】
以下は、より具体的に本発明を定義し特許請求の範囲の意味をサポートする用語の語彙である。
接着した‐粘着して付着したまたは物理的に溶融合したことを意味する。
身体取り付け手段‐腕、手首、脚または足首などのヒトの身体に分配装置を取り付けるための物理的機構である。
局所的凸状の‐本発明の内容において、浅いまたは大きさの小さいニップルの形態を有し、周囲の表面の湾曲から離脱した湾曲を示すことを意味する。
単一構造‐ただ１つのコンポーネントを含むユニボディ構造のことをいう。本発明では、この定義には単一成形構造が含まれる。
皮膚処置剤‐皮膚用途または全身用途のいずれかのための医薬または衛生処置剤を含む。
バルブ軸‐バルブ平面と直角をなし、バルブの側面重心を通る軸である。
リストバンド‐手首取り付け機能に直接寄与する任意の単一または複数の構造も含む。したがって、手首取り付けを容易にするストラップ、ファスナー、ループ、スリットを有するフィーチャーなどのリザーバー本体のいかなる延長もリストバンドの一部として含まれる。
【考案の効果】
【００１２】
本発明のいくつかの目的および効果は、以下のとおりである。
（ａ）皮膚処置剤を分配するための便利な携帯手段を提供する。
（ｂ）皮膚処置剤および他の局所にデリバリーされる医薬処置剤を分配するための費用効果がある手段を提供する。
（ｃ）皮膚処置剤および他の局所にデリバリーされる医薬処置剤を分配する非妨害的な手段を提供する。
（ｄ）皮膚処置剤および他の局所にデリバリーされる医薬処置剤を分配する容易に作動する手段を提供する。
（ｅ）皮膚処置剤および他の局所にデリバリーされる医薬処置剤を分配する手首装着手段を提供する。
（ｆ）皮膚処置剤および他の局所にデリバリーされる医薬処置剤を分配する手首装着型使い捨て手段を提供する。
（ｇ）製造が容易で、スリット式ダイアフラムバルブを使用する、皮膚処置剤および他の局所にデリバリーされる医薬処置剤ディスペンサを提供する。
（ｈ）魅力的なアパレルアクセサリーである流行の分配装置を提供する。
（ｉ）皮膚処置剤および他の局所にデリバリーされる医薬処置剤を分配するための携帯手段を再充填する方法を提供する。
【図面の簡単な説明】
【００１３】
【図１】本発明の好ましい実施形態の分解図の絵画図である。
【図２】完全に組み立てた状態の本発明の好ましい実施形態の絵画図である。
【図３ａ】凸状の外表面を示すスリット式ダイアフラムバルブを組み入れた、本発明の好ましい実施形態の横断面分解図である。
【図３ｂ】凸状の外表面を示すスリット式ダイアフラムバルブを組み入れた、該バルブを装置のリザーバーに取り付けた本発明の好ましい実施形態の横断面図である。
【図３ｃ】本発明の２つのリザーバーをもつ実施形態の絵画図である。
【図３ｄ】図３ｃの装置の横断面図である。
【図４】凸状の外表面を有する、スリット式ダイアフラムバルブの絵画図である。
【図５】図４のバルブの側面横断面図のほか上面図および底面図を含む図である。
【図６】平坦な外表面を有する、スリット式ダイアフラムバルブの絵画図である。
【図７】図６のバルブの側面横断面図のほか上面図および底面図を含む図である。
【図８ａ】リストバンドを形成するリザーバー壁の延長を示す、図２の装置の横断面図である。
【図８ｂ】第１のリストバンド幾何学を示す、本発明の好ましい実施形態の絵画図である。
【図８ｃ】第２のリストバンド幾何学を示す、本発明の好ましい実施形態の絵画図である。
【図８ｄ】第３のリストバンド幾何学を示す、本発明の好ましい実施形態の絵画図である。
【図９ａ】リザーバーおよびリストバンドの組み合わせを含む装置の本体を製造するための２つの半鋳型およびモールドインサートの絵画図である。
【図９ｂ】モールドインサートを含む、一方の半鋳型の絵画図である。
【図９ｃ】装置のリザーバーおよびリストバンド本体の形の中に含まれるポリマーの鋳造物を示す、閉じ込められたインサートと半鋳型の絵画図である。
【図９ｄ】結果としてできたモールドインサートを含む成形された装置本体と半鋳型の分離を示す絵画図である。
【図１０ａ】成形された装置本体の絵画図である。
【図１０ｂ】バルブコンポーネントを受け入れるために変形させた装置本体の絵画図である。
【図１１ａ】リザーバー壁の盛り上がった（ニップル型の）領域に配置されるスリットにより形成されるスリット式ダイアフラムバルブを有し、キャップに覆われる再充填開口部を含む装置の実施形態の絵画図である。
【図１１ｂ】図１１ａの装置の横断面図である。
【図１１ｃ】リザーバー壁の平坦な（平面状の）領域に配置されるスリットにより形成されるスリット式ダイアフラムバルブを有し、キャップに覆われる再充填開口部を含む装置の実施形態の絵画図である。
【図１１ｄ】図１１ｃの装置の横断面図である。
【図１２】スリット式ダイアフラムバルブ中にスナップを備えるリザーバーおよびポリマーのバンドを示す絵画図である。
【図１３】スリット式ダイアフラムバルブを備えた不可欠な射出成形されたリザーバー上部および該リザーバー上部と接着される、別に射出成形されたリザーバー基部の絵画図である。
【図１４ａ】スリット式ダイアフラムバルブを含む、取り付け可能なブロー成形されたリザーバーハウジングを備えた射出成形されたリストバンドの絵画図である。
【図１４ｂ】図１４ａの装置のトポロジーを強調する横断面図である。
【図１５ａ】リザーバーの周囲まわりの取り付け幾何学の横断面を示す、受け入れリストバンドに固定されたリストバンドに取り付け可能なリザーバーハウジングの絵画図である。
【図１５ｂ】リストバンドを備えた取り付け可能なリザーバーハウジングの上面絵画図である。
【図１５ｃ】リストバンドを備えた取り付け可能なリザーバーハウジングの側面絵画図である。
【図１５ｄ】リストバンドを備えた取り付け可能なリザーバーハウジングの正面絵画図である
【図１６ａ】ディスペンサのリザーバーハウジングの絵画図、平面図および断面図を含む図である。
【図１６ｂ】ディスペンサのリストバンドの絵画図、平面図および断面図を含む図である。
【図１６ｃ】複合体ディスペンサの平面図および断面図を含む図である。
【図１７ａ】リザーバーの下の突起を示す、スナップ手段により取り付け可能なリザーバーおよびリストバンドの絵画図である。
【図１７ｂ】リストバンド中の受け入れ用開口部を示す、スナップ手段により取り付け可能なリザーバーおよびリストバンドの絵画図である。
【図１８ａ】ユニボディのバルブ‐リストバンド本体の絵画図である。
【図１８ｂ】図１８ａの本体にスナップフィットするための溝を示す、ブロー成形されたリザーバーの絵画図である。
【図１８ｃ】バルブ‐リストバンド本体に挿入されているリザーバーの絵画図である。
【図１８ｄ】組み立てた状態の図１８ｃのディスペンサの絵画図である。
【図１９ａ】Ｄリング式キャップ機構に対する備えを有するディスペンサ本体の絵画図である。
【図１９ｂ】Ｄリング式キャップ機構の横断面図である。
【図１９ｃ】Ｄリング式キャップ機構を保持するノッチを強調する、図１９ａのディスペンサ本体の平面図である。
【図１９ｄ】開位置のＤリング式キャップ機構を含む、図１９ａのディスペンサの絵画図である。
【図１９ｅ】閉位置のＤリング式キャップ機構を含む、図１９ａのディスペンサの絵画図である。
【図２０ａ】図１５に示すリストバンドの絵画図である。
【図２０ｂ】図１５のリストバンドとともに使用される、スナップキャップが取り付けられたリザーバーハウジングの絵画図である。
【図２０ｃ】キャップが開位置にある、図２０ｂのリザーバーハウジングの横断面図である。
【図２０ｄ】キャップが閉位置にある、図２０ｂのリザーバーハウジングの側面図である。
【図２１ａ】変形可能な分配バルブが閉位置にある、リザーバーの横断面図である。
【図２１ｂ】図２１ａの変形可能な分配バルブが開位置にある、リザーバーの横断面図である。
【図２２ａ】フラップクロージャを備えるリザーバーの絵画図である。
【図２２ｂ】図２１ａのリザーバーの横断面図である。
【図２２ｃ】図２２ａのリザーバーの構成様式を詳しく説明する分解図である。
【図２３ａ】手首への調節可能な取り付けのために、リストバンドの端にあるニップルを受け入れる穴を有するリストバンドを備えたディスペンサの絵画図である。
【図２３ｂ】ニップルを有するリストバンドの端がリザーバーのスロットを通り抜けた、図２３ａの装置の絵画図である。
【図２３ｃ】ニップルがリストバンドの穴の１つに押し通された、図２３ａの装置の絵画図である。
【図２４ａ】粘着性後端を備えるテープリストバンドを有するディスペンサの絵画図である。
【図２４ｂ】手にそっとはめた状態の図２４ａのディスペンサの絵画図である。
【図２４ｃ】リストバンドにリストバンドテープの粘着性後端を付着させることによって、しっかりと手首に取り付けた図２４ａのディスペンサの絵画図である。
【図２５ａ】リストバンドの中に作られたポストによって、やや硬い、可撓性のあるリストバンドに取り付け可能なリザーバーの絵画図である。
【図２５ｂ】完全に組み立てた状態の図２５ａの装置の絵画図である。
【図２５ｃ】手首に着用した図２５ａの装置の絵画図である。
【図２５ｄ】リストバンドの下側を示す図２５ａの装置の絵画図である。
【図２６ａ】リザーバーの再充填の方法を示す絵画図である。
【図２６ｂ】手の処置材料の標準フォームファクターのボトルに取り付け可能な再充填機構の絵画図である。
【考案を実施するための形態】
【００１４】
本発明は、製造および使用、またはその両方の容易さをさまざまに強調する種々の実施形態を包含する。
【００１５】
図１には、ａ）さらに分配リザーバー６およびリストバンド１１の形をした身体取り付け手段を含む装置本体２と、ｂ）スリット式ダイアフラムバルブ１と、の２つのコンポーネントを含む、手首着用型処置装置の好ましい実施形態が描かれている。バルブ１は、バルブのトップボタン１５の中にバルブスリット３を示し、リザーバー６の内表面に向かってはめ込む下端フランジ５を有する。装置を人の身体に貼り付けるため、リストバンド１１は四肢の周囲を囲み、その末端は開口部１９を通り抜けるようになっている。次いで、隆起１７がリストバンドの長さに沿って現れる穿孔１３のうちの適当な１つの穿孔にスナップフィットする。図２には、バルブ１が取り付けられた状態の図１の実施形態が描かれている。図３ａおよび図３ｂは、図１の装置の横断面図である。図３ａには、凸状の外表面３３、円柱状の離れたリング３７およびフランジ３５を有するバルブ３１が示されている。装置本体４２は、処置剤ボリューム４１を取り囲む処置材料リザーバー３９およびリストバンド４３を含む。リザーバー壁は単一構造、すなわち継ぎ合わせた部品から構成されているのではなく、リストバンドとの単一成形であるものとして示されている。バルブ１は、リザーバー３９にある開口部３８に取り付けられて、バルブの周囲まわりでリザーバーとともに流体シールを形成する。装置は、リストバンド４３の端を開口部４５に通して挿入することによって四肢に貼り付けられる（このことは、図２３ａから図２３ｃに関連して以下でより詳しく示す）。図３ｂには、装置５１に取り付けられたバルブの位置が描かれている。装置の２つのリザーバー異形５２が図３ｃおよび図３ｄに示されている。図３ｄの装置の横断面図には、それぞれ関連するバルブ５３および５４を備える２つのリザーバー区画５５および５７描かれている。２つの区画への分配圧力を隔離するのに十分な硬さを備える厚い壁５６により、これらの区画が分離されていることが示されている。
【００１６】
図４から図７にバルブ幾何学が示されている。従来技術の分配用途向けのスリット式ダイアフラムバルブは、一般にある分配フィーチャーを促進するために内側に凹状になっている。本発明は、分配される材料が蓄積するのを防止し、以下に説明する方法で分配するのを促進するため、分配開口部またはバルブの付近に凸状のまたは平坦な表面のいずれかを使用することを支持する。図４は、外側に凸状の外表面６２を備えるバルブ６１の絵画図である。図５の上面図、底面図および側面横断面図によって、このバルブの詳細な構造が与えられている。スリット６３は、トップボタン６５の中に存在し、バルブフラップを作り出す。トップボタン６５は、凸状の外表面を示し、フランジ６９の頂上にある円柱状のリング６７の頂上にある。バルブが装置のリザーバーに取り付けられる際、フランジ６９は、図３ａの開口部３８を囲むリザーバーの内表面に向かってはめ込まれる。バルブは、円柱状の対称な中空内部７１を示し、ここを通して、処置材料がリザーバーから分配される。図６は、平坦な外表面８０を有するバルブ７９の絵画図である。対応するバルブの詳細は図７に示される。スリット８２は、平坦な外表面を示すボタン８３の中に配置される。ボタン８３は、円柱状のリング８５の頂上にあり、リング８５は同様にフランジ８９の頂上にある。バルブは、円柱状の対称な中空内部８９を示す。
【００１７】
装置本体の基本的なトポロジーが図８ａから図８ｄに説明されている。装置本体は、リザーバーおよびリストバンドを含む。図８ａの横断面図は、リストバンド１２３を、リザーバーの対向端１２５および１２７（リザーバーの内部の対向する位置）におけるリザーバー壁１２１の伸長または延長を含んでいるとして描いている。この開示のために、リストバンドは、手首取り付け機能に寄与する任意の単一または複数の構造も含むものであると定義される。そのため、図８ａにおいて、リストバンドは、リストバンドスリットを含む装置の部分１２４と直線状ストラップ１２６の両方を含む。このトポロジーは、図８ｂから図８ｄに示されるリストバンド幾何学の３つの変形形態に共通である。図８ｂには、リザーバーの一方の端にストラップ１３５、リザーバーの他方の端にリストバンドの受け入れ部分１３１を有するリストバンドが描かれている。図８ｃでは、リストバンドストラップ１４１および１４３がリザーバーの両端から延びており、図８ｄでは、リストバンド１５１は、２つのリザーバーの端の間の連続した連結部になっている。
【００１８】
（製造方法の好ましい実施形態）
好ましい実施形態は、従来技術で周知のように、液状射出成形、インサート成形または移送成形を用いて製造することができる。したがって、チャネルを通して、組み立てられる鋳型および成形の中に液体ポリマー前駆体を導入することができ、高温下で加硫をすばやく行うことができる。あるいは、固体ポリマーを適当な位置で分離した鋳型の中に入れ、圧力および熱の下で半鋳型を１つにまとめて成形品を製造することができる。これは装置本体（リストバンドを備えるリザーバー）について行われるだろうが、バルブについては別であろう。用いられる工程によっては、成形品から鋳ばりを除去する必要があるかもしれない。また、成形されたバルブ本体は、その中にスリットを刻みつけて、機能するバルブを形成する必要があるだろう。これは、刃でパンチカットすることによって達成することができる。製造工程の段階の全部ではないにしても、そのほとんどは自動化することができる。これには、インサート配置、鋳型組立、ポリマー導入、成形、離型、鋳ばり除去、成形されたバルブへのスリット形成、接着剤塗布のための装置本体の固定およびバルブ挿入が含まれる。
【００１９】
図９ａから図９ｄには、固体ポリマーのプレス成形または液状射出成形のいずれかを表しうる鋳型の使用が描かれている。例証を簡単にするため、１つの装置用の鋳型キャビティのみが描かれているが、１つの鋳型セットには多数の装置キャビティが含まれうることを理解すべきである。モールドインサート１６５に沿った半鋳型１６１および１６３と、結合するインサートネック１６６が図９ａに描かれている。鋳型の下半分１６３が、手首または他の湾曲した身体表面に適合するよう成形されるリザーバーを形づくる鋳型輪郭１６９に従った鋳型キャビティ１６７の下部分を含んでいることが示されている。
【００２０】
図９ｂでは、ポリマーまたはポリマー前駆体で鋳型を充填することによって装置のリザーバーキャビティを形成するモールドインサート１６５が、鋳型の上半分１６１の中に含まれる鋳型キャビティ１７１の上部分の中の適切な位置に配置されていることが示されている。インサート１６５のネック１６６は、鋳型の上半分１６１にあるチャネル１７３を通り抜ける。ネック１６６は、成形後にバルブが挿入されるリザーバー開口部を作り出し、インサート１６５を固定するための手段を提供し、その結果インサートが鋳型キャビティから離れて、それによりリザーバーの形成が可能になる。組み立てられた鋳型の横断面が図９ｃに示されている。半鋳型１６１および１６３は、その中に含まれるインサート１６５とともに１つにまとまっている。鋳型キャビティ１８３は、ポリマーまたはポリマー前駆体のいずれかで充填されているものとして描かれている。半鋳型１６１と１６３の分離および突出しているインサートネック１６６を備えた成形された装置本体１９１の描写を図９ｄに示す。インサートは、手動または自動のいずれかで、成形された装置本体のリザーバーから除去することができる。手動での除去には、リザーバーに隣接したインサートネック１６６を引っぱって、インサートをはがすことを必要とする。除去の自動化を促進するために、加圧空気通路をインサートの一部とすることができる。インサート内部のこれらの通路は、インサートネック１６６からポリマーで被覆されるインサートの表面へと広がるだろう。成形の間、通路を加圧することによって、この通路の中にポリマーが侵入するのを防げるだろう。ポリマーをインサートから引き離すマニピュレーターを用いてインサートを除去するために、装置を鋳型から外した後に通路を加圧することによってリザーバーをふくらませるだろう。極めて大量生産することにより採算が合うようなより高い代替法は、機械的に折りたためるインサートの使用を必要とし、このインサートは実質的にリザーバーを変形させることなく、リザーバー開口部を通して成形されたリザーバーから取り出すことができるだろう。
【００２１】
装置本体およびバルブの製造に続いて、手動または自動のいずれかでバルブを装置本体に取り付けることができる。図１０ａには、リザーバー内にバルブ開口部を示す装置本体２０１が描かれている。図１０ｂに示されるバルブ２０５を取り付けるために、まず開口部２０７の周囲に接着剤またはポリマー前駆体が塗布される。次いで、リザーバー２０９を変形させて、開口部２０７を伸縮自在に引き伸ばさなければならない。これが、リザーバー表面上で摩擦による牽引を行う、クランプまたは指になることができるマニピュレーター２０３によって行われていることが示されている。バルブ２０５は開口部に配置され、リザーバーは図５に示されるバルブの円柱状リング６７に接触して固定される。任意で、接着剤またはポリマー前駆体を硬化させるために加熱をすることができる。
【００２２】
装置を成形するための候補となるポリマーには、多くのシリコーンエラストマー調合物が含まれる。これらのポリマーはアルコール透過性であるが、本発明の多くの使用に関しては、リザーバーのエチルアルコール内容物は、著しい透過損失が起こる前に本発明の使用によって消費されるだろう。それでも、リザーバーおよびバルブ用のアルコール非透過性フルオロポリマー被覆の塗布を検討することができる。このような被覆は、下にあるシリコーンポリマーの伸縮性に十分調和するであろう。あるいは、Ａｋｒｏｎ大学のＪｕｄｉｔ  Ｐｕｓｋａｓ教授により調合された、エチルアルコール非透過性ポリイソブチレンからなるシリコーンゴム代替品を使用することができる。
【００２３】
スリット式ダイアフラムバルブは、装置のリザーバーの壁の中にスリットを形成することによって作り出すことができる。図１１ａから図１１ｄには、本発明の実施形態の変形形態が描かれている。図１１ａは、リザーバー２２３の周囲表面の上に広がる、浅い凸状の表面、またはニップル２２５にスリット２３１を刻みつけることによって形成されるスリット式ダイアフラムバルブを示している。再充填開口部２２７は成形中にモールドインサートネックを収容し、再充填キャップコンポーネント２２９を受け入れて、装置の製造が完了する。再充填キャップコンポーネント２２９は、キャップブタとキャップ本体とをつなぐつなぎを備えるスナップ封止である。このコンポーネントは、図１０ｂのダイアフラムバルブコンポーネントがバルブ開口部に封入されるのと同様に、再充填開口部２２７に封入される。図１１ａの装置本体の横断面図は図１１ｂに示されている。図１１ｃは、リザーバー２４３の平坦な（平面の）表面領域２４５にスリット２４７を刻みつけることによって形成されるスリット式ダイアフラムバルブを示す。図１１ｃの装置本体の横断面図は図１１ｄに示されている。
【００２４】
図１２には、スナップイン結合するスリット式ダイアフラムバルブコンポーネント３０５を受け入れるための開口部３０７を有するブロー成形されたリザーバー本体３０２を含む、手首着用型処置剤分配装置３０１が描かれている。リザーバーの明白な領域３０３は、スリット式ダイアフラムバルブコンポーネント３０５を構造的に支持する。リザーバー本体３０２の候補材料は、厚さ０．５ミリメートルの低密度ポリエチレンである。射出成形されたバルブコンポーネント３０５は、ダイカットスリット３０６を備える、ショア硬さＡ１５〜２０のシリコーンゴムから作ることができる。リザーバーの対向する端にあるスロット３０９は、最近市場に出回っているノベルティリストバンドに類似したポリマーのリストバンド３１１の導入に備えている。リザーバーの上表面に十分な手動の圧力をかけると、スリット式ダイアフラムバルブコンポーネント３０５から手の処置材料が分配されるように、リザーバーは柔軟性のあるポリマー材料から構成されている。
【００２５】
図１３は、リザーバー上部３１５の周囲の明白な領域３１７の上に広がっている浅い凸状の表面またはニップル３１９に刻みつけられた不可欠なスリット式ダイアフラムバルブ３１８、を備える射出出成形されたリザーバー上部３１５、リストバンド３２１、およびリザーバー上部３１５と接着する、別に射出成形されたリザーバー基部３２３を含む、手首着用型処置剤分配装置３１３の絵画図である。図３ｂのバルブの外表面幾何学と同様に、ニップル３１９は、ａ）装置の分配領域の視覚的指標、ｂ）分配後の掃除およびふき取りが容易なことを誇る表面、ｃ）さりげない、人目につかない分配を容易にする（他人の注意をひくような分配時のディスペンサを見る必要性を回避する）、分配位置の触覚フィードバック、ｄ）漏れ防止のための十分な硬さを与える頂上部およびｅ）スリットの配置などの二次製造業務の指標となる表面、をもたらすことでいくつかの目的にかなう。また、このニップルの内表面は、バルブフラップの動作を促進するために、その中心から放射状に先細りにすることができる。リザーバー上部３１５の明白な領域３１７は、不可欠なスリット式ダイアフラムバルブ３１８を構造的に支持する。リザーバー上部３１５は、ダイカットバルブスリットを備える、厚さ１．０ミリメートル、ショア硬さＡ１５〜２０のシリコーンゴムから容易に製造することができる。リザーバー基部の候補材料には、ウレタンまたはプロピレンが含まれる。標準的な時計バンド留め金具３２５をリストバンド３２１とともに使用することができる。
【００２６】
ブロー成形されたリザーバーハウジング３２９および離れたリストバンド３３３は、図１４ａの手首着用型処置剤分配装置３２７を構成する。さらに、スリット式ダイアフラムバルブ３２８が、リザーバー３２９に不可欠であることが示されている。バルブスリットは、浅い凸状の表面またはニップル３３０に刻みつけられている。リザーバーの下部分を形成するリストバンド３３３のくぼみ領域３３５は、このくぼみ領域の周囲の中にスカラップ形の梁３３１を示す。図１４ｂは、図１４ａの装置のトポロジーを表す横断面図である。分配リザーバー３２９は、リザーバー３２９の上部３３６および下部３３７によって形成される内部ボリューム３３８を示し、可撓性のあるリストバンド３３３は、前記内部ボリューム３３８の実質的に対向する位置３３９におけるリザーバーの下部３３７の伸長または延長を含む。
【００２７】
リザーバーのリストバンドへの取り付けの隠れた横断面図３４１を有する取り付け領域の絵画図である図１５ａに示されるように、梁３３１はリザーバー３２９のリストバンド３３３への取り付けを可能にするだろう。取り付けは、リザーバーハウジング３２９の周囲から種々の位置で突出している雄インサート３４３を、リストバンド３４５の対応する雌チャネル３４７の中へスナップすることによって達成される。雌チャネル３４７は、図１４ａのスカラップ形の梁３３１のそれぞれの頂部の成形の中で作り出される。この幾何学によって、リザーバーおよびリストバンドが接着される際、リザーバーハウジング３２９の可撓性が維持される。図１５ｂから図１５ｄはそれぞれ、図１５ａの手首着用型装置３２７の上面図、側面図および正面図である。
【００２８】
図１６ａ、１６ｂおよび１６ｃはそれぞれ、図１４ａのリザーバー、リストバンドおよび複合体ディスペンサの平面図および関係断面図である。それぞれリザーバーおよびリストバンドの絵画図３５１および３５７、それぞれリザーバー、リストバンドおよび複合体ディスペンサの平面図３５３、３５９および３６３、ならびにそれぞれリザーバー、リストバンドおよび複合体ディスペンサの断面図３５５、３６１および３６５が示されている。
【００２９】
図１７ａおよび図１７ｂには、リザーバー３７５をリストバンド３７１にスナップフィットする手段が描かれている。図１７ａでは、スナップ突起３７７がリザーバー３７５の下側に示され、対応する受け入れ穴３７３はリストバンド３７１の中に示されている。図１７ｂでは、受け入れ穴を備える円柱状マウント３７９が示されている。これは、リザーバーおよびリストバンドのそれぞれに無料のジェンダースナップコンポーネントのセットを有していることに等しい。
【００３０】
リザーバー取り付けの代替手段が図１８ａから図１８ｄに示されている。図１８ａには、バンド３８１、支持表面３８９に囲まれるスリット式ダイアフラムバルブ３８３およびリザーバー用の空間３８５を囲む材料リング３８７を含む、好ましくはシリコーンポリマーから製造される、ユニボディのバルブ‐リストバンド本体が示されている。図１８ａのリング３８７の中へのスナップフィットを可能にする溝３９３を有するリザーバー３９１が図１８ｂに示されている。図１８ｃには、リザーバー３９１のバルブ‐リストバンド本体への挿入が描かれている。完全に組み立てられた装置３９５が図１８ｄに示されている。バルブ‐リストバンド本体の支持表面３８９は、バルブ３８３がリザーバー３８５内の穴（図示せず）に固定されるように、リザーバーに接着されるまたは機械的に取り付けられる必要があるだろう。
【００３１】
さらに、別のカテゴリーの取り付けアプローチは、単純な取り込みタブを用いてリストバンドおよびリザーバーが一緒に滑って正しい場所に「固着される」ように、無料のガイド手段とともにガイド通路の使用を必要とする。ガイドは、一方のコンポーネント（リストバンドまたはリザーバー）上にある、他方のコンポーネント上の無料の直線状キー溝に合う、直線状のフィーチャーとすることができる。
【００３２】
図１９ａから図１９ｅには、漏れおよび意図しない分配を防ぐための空間に滑り込むキャップの使用が描かれている。図１９ａでは、リストバンド４０１に取り付けられたリザーバー４０９が示されている。スリット式分配バルブ領域４０５は、小さなくぼみ形のキャップを受け入れるために凹状になっており、キャップを正しい場所に保つためにリザーバーハウジングにフィーチャー４０７が加えられる。図１９ｃでは、図１９ｂのＤリング４１７を受け入れるノッチ４１０がリザーバーの周囲に示されている。このＤリングは、金属またはプラスチックなどの硬いまたはやや硬い材料から製作することができる。キャップ４１５の横断面が図１９ｂに示されている。図１９ｄおよび図１９ｅは、それぞれ開位置および閉位置にあるＤリングおよびキャップを備える装置を示している。
【００３３】
図２０ａから図２０ｄは、スナップキャップの実施形態を示している。図２０ａは、ここで説明するキャップデザインを有するリザーバーを、前記のように受け入れるリストバンドコンポーネント４２１の絵画図を示している。図２０ｂのリザーバー４３１に取り付けられていることが示されているのは、封止を達成するためにバルブ４２７に挿入される先細りプラグ４２４を示すキャップ４２３である。キャップ取り付けバンド４２５は、取り付け付近にある、屈曲しやすくする薄い領域４２９を特徴とする。図２０ｃは、図２０ｂのリザーバーの横断面図である。プラグ４２４は高さの低い円柱状基部４４３に不可欠であり、キャップ４２３中の穴を通って挿入されることが示されている。図２０ｄは、キャップがバルブ領域を密封するように配置されている、リザーバーの側面絵画図である。
【００３４】
図２１ａは、閉位置にある変形可能なバルブ機構の横断面図である。リザーバーハウジング４５３はリストバンド４５１に取り付けられ、分配される予定の材料を含むボリューム４５５を与える。リザーバーの上表面およびリストバンドの固定領域の部分は、この実施形態のバルブ機能を達成するように改造されている。隆起４５７は、容易にこの位置に手の圧力を加えてバルブを作動させることができるように備えられている。リザーバーハウジング４５３は、傾斜した垂直壁４５９、くぼみ４６１、およびくぼみ４６１から離れた側に分配開口部４６５を有する浅いニップル４６３によって、バルブの機能性に寄与する。リストバンドコンポーネントは、隆起４５７に加えられる左方向の水平圧力がない場合に、くぼみ４６１と協力して連結し、開口部４６５を分配ボリューム４５５から封鎖する梁４６６を与える。バルブを開き、ボリューム４５５と開口部４６５との間の流体連通４６９を可能にする作動が、方向４６７の力の作用とともに、図２１ｂに描かれている。
【００３５】
図２２ａは、フラップ４７３を組み入れて分配開口部４７７を封止するリザーバー４７１の絵画図である。フラップ４７３の下側にある浅いニップル４７５が開口部の封止を確実にする。この封止スキームの横断面図が図２２ｂに示されている。図２２ｃには、このリザーバー実施形態の組み立て方法が描かれている。
【００３６】
スナップ機構、タブ挿入、連結機構およびVelcro（登録商標）の使用を含めて、内蔵型リザーバーのリストバンドへの取り外しできる取り付けについて数え切れない方法が可能である。このような取り外しできる取り付けは、充填済み使い捨てリザーバーまたは異なった形状の、もしくは装飾されたリザーバーの使用を促進するだろう。
【００３７】
図２３ａは、ベルトの穴によく似た穴１８３およびリストバンドの端に位置する小片４８７を示すリストバンドを有するディスペンサ４８１の絵画図である。いったん、図２３ｂに示されるようにリストバンドストラップの端４８５がディスペンサの他端にあるリストバンドスリット４８９を通り抜けると、図２３ｃに示されるように小片４８７が穴４８３の１つへ押し込まれ、装置を手首に固定するだろう。
【００３８】
接着剤に基づくアプローチが図２４ａから図２４ｃに示されている。ディスペンサのスロット５０７を越えたところにある、リストバンド５０５の接着性後端５０３を有する、取り付けられたテープリストバンド５０５を有するリザーバー５０１が図２４ａに示されている。リストバンドのこの端は、スロット５０７を通して手前へ引き寄せるにはあまりに大きい。図２４ｂに示されるように装置はまず手にそっとはめられ、そして図２４ｃに示されるように、リストバンドは手首まわりにぴったり合うよう引っ張られ、リストバンドの端はリストバンドに沿った適当な位置に接着される。
【００３９】
図２５ａから図２５ｄには、リストバンド５３７にスナップフィットするリザーバー５３１が描かれている。リザーバーの中に作られた穴５３５が、リストバンドの中に成形されたポスト５３３を受け入れて、スナップ取り付けが完成する。
【００４０】
（再充填の方法）
スリット式ダイアフラムバルブを用いる、手首着用型処置剤分配装置を再充填する手段が図２６ａおよび図２６ｂに描かれている。図２６ｂでは、標準的な市販の手指消毒ゲルのボトル５６５にねじで取り付けられる再充填取り付け具５６７が示されている。図２６ａには、スリット式ダイアフラムバルブ５５３を備える手首着用型処置剤分配装置５５１を充填するためにこの取り付け具を使用することが描かれている。この取り付け具は、通されたキャップ部分５５９、先細りノズル５５５、ノズル５５５の先端からフランジ５５７まで走っている梁５６１を含む。ノズル５５５の先端は、フランジ５５７が分配装置５５１と接触する程度まで、スリット式ダイアフラムバルブ５５３を通して分配装置５５１の中に挿入される。ボトル５６３から処置材料が分配装置５５１の中に導入される際、梁５６１は、スリット式ダイアフラムバルブのフラップを十分に開いた状態に保って、分配装置５５１から空気が逃げるのを可能にすることによって、空気の逃げ道を与える。あるいは、この目的のためにノズルの側面に沿って小さな管または空気チャネルを含ませることができよう。
【００４１】
（使用方法）
本発明の種々の実施形態を用いる共通の使用方法は、処置剤を充填した分配装置を人に取り付けることを必要とする。開示される異なった取り付けスキームは、前腕、手首、脚または足首への取り付けを可能にする。より長い取り付けバンドを使用して、首または腹部のまわりへの取り付けも考えられるかもしれない。装置は、以下のように、片手で分配することが可能なように設計されている。人に取り付けられている間、リザーバーの本体は身体の四肢に固定されており、分配する手からの圧力によって変形する。これは、指、手のひら、手の甲または手の側面を使用して、装置のリザーバーに圧力を加えることによって達成することができよう。このような圧力は、ダイアフラムバルブを通る分配をもたらすのに十分な、含有処置用流体への圧力をもたらすだろう。分配された処置剤のないバルブ領域をぬぐうことによる手回収のために、動かしている手の上またはバルブの外表面の上に直接分配することができる。人がディスペンサを見る必要なしに分配が達成できることが重要である。装置のある実施形態におけるダイアフラムバルブ表面の明白な幾何学は、ユーザーが触覚手段によって分配位置を見つける能力を促進する。これは、ある社会的環境において、利便性と分配に関して変化する必要性の見込みの両方に対処する。病院および他の保健医療関連施設における本発明の市場調査からの経験は、所望の分配ボリュームを得るために加えられる圧力の大きさは容易に習得され、繰り返されるということを示唆している。さらに、よく動き回る職員が頻繁に手の滅菌が必要な場合に、本発明は極めて便利なものと認識された。
【００４２】
（概要）
本明細書に開示されている発明は多数の実施形態を強調しているが、これらの実施形態についての修正および変形が予期され、これらの修正および変形も本発明の範囲および添付の特許請求の範囲内にあるということが理解されよう。
【図１】
0003166886.tif 000003
【図２】
0003166886.tif 000004
【図３ａ】
0003166886.tif 000005
【図３ｂ】
0003166886.tif 000006
【図３ｃ】
0003166886.tif 000007
【図３ｄ】
0003166886.tif 000008
【図４】
0003166886.tif 000009
【図５】
0003166886.tif 000010
【図６】
0003166886.tif 000011
【図７】
0003166886.tif 000012
【図８ａ】
0003166886.tif 000013
【図８ｂ】
0003166886.tif 000014
【図８ｃ】
0003166886.tif 000015
【図８ｄ】
0003166886.tif 000016
【図９ａ】
0003166886.tif 000017
【図９ｂ】
0003166886.tif 000018
【図９ｃ】
0003166886.tif 000019
【図９ｄ】
0003166886.tif 000020
【図１０ａ】
0003166886.tif 000021
【図１０ｂ】
0003166886.tif 000022
【図１１ａ】
0003166886.tif 000023
【図１１ｂ】
0003166886.tif 000024
【図１１ｃ】
0003166886.tif 000025
【図１１ｄ】
0003166886.tif 000026
【図１２】
0003166886.tif 000027
【図１３】
0003166886.tif 000028
【図１４ａ】
0003166886.tif 000029
【図１４ｂ】
0003166886.tif 000030
【図１５ａ】
0003166886.tif 000031
【図１５ｂ】
0003166886.tif 000032
【図１５ｃ】
0003166886.tif 000033
【図１５ｄ】
0003166886.tif 000034
【図１６ａ】
0003166886.tif 000035
【図１６ｂ】
0003166886.tif 000036
【図１６ｃ】
0003166886.tif 000037
【図１７ａ】
0003166886.tif 000038
【図１７ｂ】
0003166886.tif 000039
【図１８ａ】
0003166886.tif 000040
【図１８ｂ】
0003166886.tif 000041
【図１８ｃ】
0003166886.tif 000042
【図１８ｄ】
0003166886.tif 000043
【図１９ａ】
0003166886.tif 000044
【図１９ｂ】
0003166886.tif 000045
【図１９ｃ】
0003166886.tif 000046
【図１９ｄ】
0003166886.tif 000047
【図１９ｅ】
0003166886.tif 000048
【図２０ａ】
0003166886.tif 000049
【図２０ｂ】
0003166886.tif 000050
【図２０ｃ】
0003166886.tif 000051
【図２０ｄ】
0003166886.tif 000052
【図２１ａ】
0003166886.tif 000053
【図２１ｂ】
0003166886.tif 000054
【図２２ａ】
0003166886.tif 000055
【図２２ｂ】
0003166886.tif 000056
【図２２ｃ】
0003166886.tif 000057
【図２３ａ】
0003166886.tif 000058
【図２３ｂ】
0003166886.tif 000059
【図２３ｃ】
0003166886.tif 000060
【図２４ａ】
0003166886.tif 000061
【図２４ｂ】
0003166886.tif 000062
【図２４ｃ】
0003166886.tif 000063
【図２５ａ】
0003166886.tif 000064
【図２５ｂ】
0003166886.tif 000065
【図２５ｃ】
0003166886.tif 000066
【図２５ｄ】
0003166886.tif 000067
【図２６ａ】
0003166886.tif 000068
【図２６ｂ】
0003166886.tif 000069